(57)【要約】【課題】パネリング強度を向上させる事が出来、また、美観を高める事が出来る金属缶の提供を目的とする。【解決手段】金属缶１は、缶胴２にメインパネル加工部３を成形し、メインパネル加工部３と近接する両側に、第１補強パネル加工部４１、４２、４３、４４を周方向に並ぶ様に成形し、第１補強パネル加工部４１、４２同士の境界の中心軸線２１上の上方向及び下方向に第２補強パネル加工部５１、５２を成形し、第１補強パネル加工部４３、４４同士の境界の中心軸線２２上の上方向及び下方向に第２補強パネル加工部５３、５４を成形した構成としてある。【選択図】  図１
2014108811.tif 000002
【特許請求の範囲】
【請求項１】
缶胴にメインパネル加工部を成形した金属缶において、
前記メインパネル加工部と近接する両側に、それぞれ二つ以上の第１補強パネル加工部を周方向に並ぶ様に成形し、
前記第１補強パネル加工部同士の境界の中心軸線上の上方向及び／又は下方向に、第２補強パネル加工部を成形したことを特徴とする金属缶。
【請求項２】
前記第１補強パネル加工部同士が、缶胴高さ方向にオーバーラップしていることを特徴とする請求項１に記載の金属缶。
【請求項３】
前記第１補強パネル加工部を、缶胴高さの中心、又はほぼ中心位置に形成し、前記第２補強パネル加工部を、缶胴高さＨの７５％の領域内で、前記第１補強パネル加工部と重ならないように成形したことを特徴とする請求項１又は２に記載の金属缶。
【請求項４】
前記第１補強パネル加工部が成形された領域の周方向長さＷ２が、前記缶胴の周長Ｗの２５％を超えることを特徴とする請求項１乃至３のいずれか一項に記載の金属缶。
【請求項５】
前記メインパネル加工部は、前記缶胴の周長Ｗの５〜２０％の周方向長さＷ１を有し、前記缶胴の高さＨの２０〜９０％の高さＨ１を有していることを特徴とする請求項１乃至４のいずれか一項に記載の金属缶。
【発明の詳細な説明】
【技術分野】
【０００１】
本発明は、金属缶に関し、特に、パネル加工の施された金属缶に関する。
【背景技術】
【０００２】
近年、デザインの多様性、缶胴肉厚の薄肉化に伴う缶胴強度向上等の理由から、缶胴に凹部及び／又は凸部の加工（適宜、パネル加工と略称する。）を施した金属缶が開発され商品化されている。上記の金属缶として、例えば、コーヒー等の飲料を充填する絞り−しごき加工等によるシームレス缶等が挙げられる。
また、缶胴に印刷してある模様や文字等（適宜、これらを総称して模様と称す。）に合せてパネル加工を行うと、缶体のデザイン性が高まる事から、模様の少なくとも一部分にその模様と合ったパネル加工を施す事が行われている。尚、パネル加工を施す範囲は、デザイン等に応じて、適宜、設定され、缶胴のほぼ全面でも良く、あるいは、缶胴の一部であっても良い。
【０００３】
本発明に関連する技術として、例えば、特許文献１には、缶胴にエンボス部とパネリング補強塑性加工部とを設けた事を特徴とするエンボス缶が開示されている。
このエンボス缶は、缶胴にビード加工部や周状多面体壁加工部を成形する事により、エンボス缶の機械的強度を向上させている。
【先行技術文献】
【特許文献】
【０００４】
【特許文献１】特開２００９−２９８４３７号公報
【０００５】
また、本発明に関連する金属缶として、図３に示すようなものが提案されている。図３は、本発明に関連する金属缶の概略図であり、（ａ）は正面図を示しており、（ｂ）は変形した状態のＡ−Ａ断面図を示している。
図３（ａ）において、金属缶１０１は、シームレス缶としてあり、缶胴１０２にメインパネル加工部３が成形されている。
そして、メインパネル加工部３は、高さ方向長さＨ１が、缶胴１０２の高さ方向長さＨ（適宜、缶胴高さＨと称す。）の約７７％で、また、周方向長さＷ１´は、缶胴１０２の周長Ｗの約１１％であり、メインパネル加工部３の範囲は、高さ方向に細長いほぼ矩形状としてある。
【０００６】
このメインパネル加工部３には、高さ方向に沿って「ＮＥＷＣＡＮ」といった文字が、凹部となる様に成形されている。これらの複数の凹部が、メインパネル加工部３の領域内に成形される事によって、メインパネル加工部３は、凹部が成形されていない缶胴１０２の部分より機械的強度が高く、横断面形状が平面状に変形する。
【発明の概要】
【発明が解決しようとする課題】
【０００７】
これにより、金属缶１０１は、メインパネル加工部３が、他の部分より機械的強度が部分的に高くなるものの、横断面形状が平面状に変形し、機械的強度（適宜、パネリング強度と称す。）が低下するため、板厚を厚くする必要があった。
そして、このような金属缶１０１は、レトルト殺菌工程等において外圧が加わった場合、例えば、図３（ｂ）に示す様に、横断面形状がほぼ四角形状又は五角形状となる様に変形する。
そこで、板厚を厚くする事なく、パネル加工が施された金属缶のパネリング強度を向上させる事が要望されていた。
【０００８】
また、金属缶１０１は、メインパネル加工部３の凹部の深さが深い程、金属缶１０１のパネリング強度が低下する傾向にあるが、パネリング強度の低下を防ぐ為凹部の深さを浅くすると、メインパネル加工部３の印象が弱くなっていた。そこで、パネリング強度が高く、且つ、深い凹部によって成形され、デザイン性を高めた金属缶も要望されていた。
【０００９】
更に、上述した特許文献１のエンボス缶は、缶胴にビード加工部や周状多面体壁加工部を成形しており、デザイン性において制約を受ける恐れがあった。即ち、コーヒー等の飲料を充填する金属缶においては、缶胴のデザインが販売数量に大きく影響を与える事から、メインとなるパネル加工部のデザイン性を損なう事なく、補強用のパネル加工を施す事も要望されていた。
【００１０】
本発明は、上記要望に応える為に提案されたものであり、金属缶の缶胴にメインパネル加工部が成形された場合であっても、パネリング強度を向上させる事が出来、また、美観を向上させる事が出来る金属缶の提供を目的とする。
【課題を解決するための手段】
【００１１】
上記目的を達成する為、本発明の金属缶は、缶胴にメインパネル加工部を成形した金属缶において、前記メインパネル加工部と近接する両側に、それぞれ二つ以上の第１補強パネル加工部を周方向に並ぶ様に成形し、前記第１補強パネル加工部同士の境界の中心軸線上の上方向及び／又は下方向に、第２補強パネル加工部を成形した構成としてある。
【発明の効果】
【００１２】
本発明の金属缶によれば、メインパネル加工部の近接する両側に、第１補強パネル加工部及び第２補強パネル加工部を成形する事により、特に陰圧缶において、缶胴の板厚を厚くする事なく、金属缶のパネリング強度を向上させる事が出来る。
また、本発明の金属缶によれば、上述したように、金属缶のパネリング強度を向上させる事が出来るので、デザイン性を高める深い凹部から成るメインパネル加工部を成形する事が出来る。
【図面の簡単な説明】
【００１３】
【図１】図１は、本発明の一実施形態にかかる金属缶の概略正面図を示している。
【図２】図２は、本発明の一実施形態にかかる金属缶の缶胴部の概略展開図を示している。
【図３】図３は、本発明に関連する金属缶の概略図であり、（ａ）は正面図を示しており、（ｂ）は変形した状態のＡ−Ａ断面図を示している。
【発明を実施するための形態】
【００１４】
［金属缶の一実施形態］
図１、２において、本実施形態の金属缶１は、缶胴２にメインパネル加工部３、第１補強パネル加工部４１、４２、４３、４４、及び、第２補強パネル加工部５１、５２、５３、５４を成形したシームレス缶である。
尚、上記の各パネル加工部の形成方法として、通常、エンボス加工やエキスパンド加工等が用いられるが、パネル加工部の形成方法は、特に限定されるものでは無い。更に、金属缶１は、陰圧缶としてあるが、これに限定されるものでは無く、陽圧缶であっても良い。
また、図２に示す缶胴部の展開図は、メインパネル加工部３、第１補強パネル加工部４１、４２、４３、４４、及び、第２補強パネル加工部５１、５２、５３、５４等の位置や形状を説明する為のものである。
【００１５】
（メインパネル加工部）
メインパネル加工部３は、図２に示すように、高さ方向長さＨ１を、缶胴１０２の高さ方向長さＨの約７７％としてあり、また、周方向長さＷ１を、缶胴１０２の周長Ｗの約１１％としてある。即ち、メインパネル加工部３は、図３にもとづいて上述した金属缶１０１と同様に、高さ方向に細長いほぼ矩形状としてある。
尚、メインパネル加工部３の周方向長さＷ１は、缶胴２の周長Ｗの５〜２０％であれば良く、また、高さＨ１は、缶胴高さＨの２０〜９０％であれば良い。これにより、メインパネル加工部３の見易さ及び加工性等を向上させる事が出来る。
即ち、周方向長さＷ１を周長Ｗの５％以上とする事により、小さくて加工がしづらい、あるいは、デザインが目立たないといった不具合を回避する事が出来る。また、周方向長さＷ１を周長Ｗの２０％以下とする事により、大きくてメインパネル加工部３の模様が見づらいといった不具合を回避する事が出来る。
更に、高さＨ１を高さＨの２０％以上とする事により、小さくて加工がしづらい、あるいは、デザインが目立たないといった不具合を回避する事が出来る。また、メインパネル加工部３の高さＨ１を缶胴高さＨの９０％以下とする事により、加工歪みの増大による金属露出を判定するＥＲＶ（エナメルレーター値）が悪くなるといった不具合を回避する事が出来る。
【００１６】
また、メインパネル加工部３には、上述した金属缶１０１と同様に、高さ方向に沿って「ＮＥＷＣＡＮ」といった文字が、凹部となる様に成形されている。そして、これらの文字と対応する複数の凹部が、メインパネル加工部３の領域内に成形される事によって、メインパネル加工部３は、凹部が成形されていない缶胴２の部分より、機械的強度が向上する。
尚、上記の「ＮＥＷＣＡＮ」は、メインパネル加工部３における表示の一例であり、表示はこれに限定されるものでは無く、他の文字や模様等であっても良い。
また、本実施形態では、メインパネル加工部３は、缶胴２の一箇所に成形されているが、二箇所以上に成形してあっても良い。
【００１７】
（第１補強パネル加工部）
第１補強パネル加工部４１、４２、及び４３、４４は、メインパネル加工部３と近接する両側に、周方向に並ぶ様にそれぞれ成形されている（図２参照）。
尚、近接とは、第１補強パネル加工部４１、４３が、メインパネル加工部３と接しているか、あるいは、メインパネル加工部３の近傍（約５ｍｍ以下の距離だけ離れた位置）に位置する状態を言う。
また、周方向に並ぶ様に成形される第１補強パネル加工部４１と４２は、互いが接する状態又は離れた状態（約１０ｍｍ以下）で成形されている。また、他の第１補強パネル加工部４３と４４も同様の状態で形成されている。
【００１８】
前記第１補強パネル加工部４１、４２、４３、４４は、缶胴高さの中心、又はほぼ中心位置に形成し、缶胴高さの約２５％（０．１２５Ｈ＋０．１２５Ｈ）の領域内に形成するのが好ましい。  
具体的には、缶胴高さＨが１００ｍｍ程度の場合は、第１補強パネル加工部４１、４２、４３、４４は、缶胴高さの中心、又は、中心から高さ方向に少しずれた（約１３ｍｍ以下）位置、即ちほぼ中心位置に形成することが好ましい。この様にすると、蓋を巻き締める開口端部付近や底部付近より機械的強度が低い缶胴２の高さ方向中央部を効果的に補強する事が出来る。
【００１９】
また、好ましくは、第１補強パネル加工部４１、４２同士と、第１補強パネル加工部４３、４４同士が、缶胴高さ方向においてオーバーラップしていると良い。本実施形態では、図２に示す様に、第１補強パネル加工部４１、４２同士が、少なくとも所定のオーバーラップ幅Ｈ２を有する様に成形されおり、また、第１補強パネル加工部４３、４４同士が、少なくとも所定のオーバーラップ幅Ｈ３を有する様に成形されている。
この様にすると、上述した機械的強度が低い缶胴２の高さ方向中央部をより効果的に補強する事が出来る。
【００２０】
更に好ましくは、メインパネル加工部３の両側に成形された第１補強パネル加工部４１、４２と、第１補強パネル加工部４３、４４同士が、缶胴高さ方向にオーバーラップしていると良い。この様にすると、缶胴２の高さ方向の中央部をより一層効果的に補強する事が出来る。
【００２１】
また、好ましくは、第１補強パネル加工部が成形された領域の周方向長さＷ２、即ち、第１補強パネル加工部４２の左側端部から第１補強パネル加工部４４の右側端部までの距離が、缶胴２の周長Ｗの２５％を超えると良い。
この様にすると、缶胴２の横断面形状がほぼ四角形又は五角形に変形するといった不具合の発生をより効果的に防止する事が出来る。
この数値限定の理由は、周方向長さＷ２が、缶胴２の周長Ｗの２５％以下であると、外圧が加わった場合、第１補強パネル加工部４２の左側端部付近及び第１補強パネル加工部４４の右側端部付近に、図３（ｂ）に示すような角部１０３が形成され、缶胴２の横断面形状がほぼ四角形又は五角形に変形し易くなるからである。
また、第１補強パネル加工部が成形された領域の周方向長さＷ２は、より好ましくは、缶胴の周長Ｗの３０％を超える構成とすると良い。この様にすると、缶胴２の横断面形状がほぼ四角形又は五角形に変形するといった不具合の発生をより効果的に防止する事が出来る。
【００２２】
尚、本実施形態では、メインパネル加工部３と近接する両側に、それぞれ二つの第１補強パネル加工部４１、４２、及び、４３、４４を成形してあるが、成形する数は二つに限定されるものでは無く、三つ以上を周方向に並べる様に成形しても良い。
また、本実施形態では、各第１補強パネル４１、４２、４３、４４をほぼ楕円形状としてあるが、形状や大きさ等は、これに限定されるものでは無く、機械的強度を向上させる事が出来る形状や大きさであれば良く、通常、円形や多角形等の形状が挙げられる。
【００２３】
（第２補強パネル加工部）
第２補強パネル加工部５１、５２は、図２に示す様に、第１補強パネル加工部４１と４２の境界の中心軸線２１上の上方向及び下方向にそれぞれ成形されており、また、第２補強パネル加工部５３、５４は、第１補強パネル加工部４３と４４の境界の中心軸線２２上の上方向及び下方向にそれぞれ成形されている。尚、境界の中心軸線とは、上下方向に延びる境界の中心線といった意味である。
【００２４】
ここで、好ましくは、第２補強パネル加工部５１、５２、５３、５４は、それぞれ缶胴高さＨの７５％の領域内で、上述した第１補強パネル４１、４２、４３、４４と重ならないように成形されると良い（図２参照）。この様にすると、上述した機械的強度が低い缶胴高さ方向の中央部を効果的に補強する事が出来る。
【００２５】
また、第１補強パネル加工部４１、４２、４３、４４、及び、第２補強パネル加工部５１、５２、５３、５４を成形する領域を上記の様に限定する事により、メインパネル加工部３のデザイン性を損なう事が無く、美観を向上させる事が出来る。
【００２６】
また、缶胴２は、第１補強パネル加工部４１、４２、４３、４４が成形される事により、上述した様に、缶胴高さ方向の中央部を部分的に補強する事が出来るが、第１補強パネル加工部４１と４２との境界、及び、第１補強パネル加工部４３と４４との境界は機械的強度が低下し、これらの境界が、横断面形状がほぼ四角形状又は五角形状となる様に変形する際の角部１０３（図３（ｂ）参照）となる恐れがある。
これに対し、第２補強パネル加工部５１、５２は、第１補強パネル加工部４１と第１補強パネル加工部４２の境界が角部１０３とならない様に補強している。また、第２補強パネル加工部５３、５４は、第１補強パネル加工部４３と第１補強パネル加工部４４の境界が角部１０３とならない様に補強しているので、金属缶１のパネリング強度を向上させる事が出来る。
【００２７】
尚、第２補強パネル加工部５１、５２は、外圧を加えた際、中心軸線２１に沿って角部１０３が形成されない様、第１補強パネル加工部４１と第１補強パネル加工部４２の境界を補強する為に、第１補強パネル加工部４１とそれぞれ缶胴周方向にオーバーラップしており、且、第１補強パネル加工部４２ともそれぞれ缶胴周方向にオーバーラップしている。また、同様に、第２補強パネル加工部５３、５４は、第１補強パネル加工部４３とそれぞれ缶胴周方向にオーバーラップしており、且、第１補強パネル加工部４４ともそれぞれ缶胴周方向にオーバーラップしている。
【００２８】
金属缶１は、上述した様に、缶胴２にメインパネル加工部３、第１補強パネル加工部４１、４２、４３、４４、及び、第２補強パネル加工部５１、５２、５３、５４が成形されているので、特に陰圧缶において、缶胴２の板厚を厚くしなくても、パネリング強度を向上させる事が出来る。そして、例えば、レトルト殺菌中の外圧によって、缶胴２の横断面形状がほぼ四角形又は五角形に変形するといった不具合の発生を防止する事が出来る。
【００２９】
尚、本実施形態の金属缶１においては、メインパネル加工部３の凹部、第１補強パネル加工部４１、４２、４３、４４、及び、第２補強パネル加工部５１、５２、５３、５４の凹部の深さが深い程パネリング強度が向上する傾向にある。
【００３０】
また、本実施形態では、第１補強パネル加工部４１と第１補強パネル加工部４２の境界の中心軸線２１上の上方向に一つの第２補強パネル加工部５１、５３を成形し、下方向に一つの第２補強パネル加工部５２、５４を成形してあるが、成形する数は一つに限定されるものでは無く、上下方向にそれぞれ二つ以上の第２補強パネル加工部（図示せず）を成形しても良い。また、上方向又は下方向の一方にのみ第２補強パネル加工部を成形しても良い。
【００３１】
以上説明した様に、本実施形態の金属缶１によれば、缶胴２の板厚を厚くする事なく、金属缶１のパネリング強度を大幅に向上させる事が出来る。
また、本発明の金属缶によれば、上述したように、金属缶のパネリング強度を向上させる事が出来るので、デザイン性を高める凹部から成るメインパネル加工部を成形する事が出来、更に、メインパネル加工部３のデザイン性を損なう事なく、第１補強パネル加工部４１、４２、４３、４４、及び、第２補強パネル加工部５１、５２、５３、５４を成形する事により、美観を向上させる事が出来る。
【００３２】
以上、本発明の金属缶について、好ましい実施形態を示して説明したが、本発明に係る金属缶は、上述した実施形態に限定されるものでは無く、本発明の範囲で種々の変更実施が可能である事は言うまでも無い。
例えば、金属缶１が、コーヒー等の飲料を充填する金属缶の場合、第１補強パネル加工部４１、４２、４３、４４、及び、第２補強パネル加工部５１、５２、５３、５４をコーヒー豆の模様としても良く、この様にすると、メインパネル加工部３のデザイン性を損なう事なく、より商品価値を高める事が出来る。  
【符号の説明】
【００３３】
１、１０１  金属缶
２、１０２  缶胴  
２１、２２  中心軸線
３  メインパネル加工部  
４１、４２、４３、４４  第１補強パネル加工部  
５１、５２、５３、５４  第２補強パネル加工部  
【図１】
2014108811.tif 000003
【図２】
2014108811.tif 000004
【図３】
2014108811.tif 000005